(57)【特許請求の範囲】
【請求項１】
光軸を中心とする円筒状を成す第１円筒部材および第２円筒部材と、
前記第１円筒部材と前記第２円筒部材との相対回転量を検出する検出部と、
前記第１円筒部材の略同一円周上に間隔を隔てて設けられ、前記第１円筒部材と前記第２円筒部材との相対的な回転を制限する第１回転制限部および第２回転制限部と、
前記第１回転制限部および前記第２回転制限部と略同一円周上に備えられ、前記第２円筒部材に固定されるビスと、
前記ビスにより前記第２円筒部材に固定される固定部分と、前記固定部分から前記光軸方向に離れた位置に備えられ前記検出部が取付けられる取付け部分とを有する板部材と、
前記第１回転制限部および前記第２回転制限部へ当接可能に前記板部材の前記固定部分に備えられ、前記ビスにより前記第２円筒部材固定されている弾性部材とを備えることを特徴とするレンズ鏡筒。
【請求項２】
前記弾性部材が凹部を有し、
前記弾性部材は、該凹部に前記板部材の前記固定部分が嵌合していることを特徴とする請求項１に記載のレンズ鏡筒。
【請求項３】
前記弾性部材は、前記固定部分を介して前記ビスにより前記第２円筒部材に固定されることを特徴とする請求項１又は請求項２に記載のレンズ鏡筒。
【請求項４】
前記第２円筒部材は、駆動力を伝達するギアを有し、
前記第２円筒部材の回転により、レンズを駆動することを特徴とする請求項１乃至請求項３に記載のレンズ鏡筒。
【発明の詳細な説明】
【０００１】
【発明の属する技術分野】
本発明はレンズ鏡筒に関し、特に、エンコーダブラシを使用して距離信号を検出して、その信号を撮影に利用する方式のレンズ鏡筒に最適なレンズ鏡筒に関する。
【０００２】
【従来の技術】
近年、交換レンズ式のカメラ用の交換レンズにおいて、被写体の概距離をエンコーダ等を使用して検出し、電気接点を通じてカメラボディ本体に伝送し、カメラボディ側は検出信号からストロボの光量を適正に調整したり露出を微調整するなどに利用するものがある。
【０００３】
このような交換レンズはフォーカスの端部でフォーカス部がそれ以上回転しないように、回転制限部材が設けられるのが一般である。また、制限部材の一端には操作時の感触を向上させるため、ゴムなどの弾性部材を取り付ける場合がある。取り付ける場合は、ゴム製の部材単体では不安定なため、下板にゴムを填め込むなどの方法で取り付け、制限部組として組み立ててから取り付ける場合も多い。
【０００４】
さらに、エンコーダにおいても、例えばブラシ部は他の部品と共用にして取り付ける際は、レンズ個々の状況に合せるため、地板にカジメなどで取り付ける場合がある。
【０００５】
【発明が解決しようとする課題】
しかしながら、一般に制限部材としての弾性ゴム部材もエンコーダブラシも、同一の回転部材に取り付ける場合が多く、配置関係で苦慮していた。
【０００６】
本発明は、上記の問題点に鑑みてなされたもので、部品を共用することによりコストを抑え、且つ収納性を向上させることにより小型化を図ることを目的とする。
【０００７】
【課題を解決するための手段】
この目的を達成するために、請求項１の発明は、光軸を中心とする円筒状を成す第１円筒部材および第２円筒部材と、前記第１円筒部材と前記第２円筒部材との相対回転量を検出する検出部と、前記第１円筒部材の略同一円周上に間隔を隔てて設けられ、前記第１円筒部材と前記第２円筒部材との相対的な回転を制限する第１回転制限部および第２回転制限部と、前記第１回転制限部および前記第２回転制限部と略同一円周上に備えられ、前記第２円筒部材に固定されるビスと、前記ビスにより前記第２円筒部材に固定される固定部分と、前記固定部分から前記光軸方向に離れた位置に備えられ前記検出部が取付けられる取付け部分とを有する板部材と、前記第１回転制限部および前記第２回転制限部へ当接可能に前記板部材の前記固定部分に備えられ、前記ビスにより前記第２円筒部材固定されている弾性部材とを備えることを特徴とする。
【０００９】
請求項２の発明は、請求項１に記載のレンズ鏡筒であって、前記弾性部材が凹部を有し、
前記弾性部材は、該凹部に前記板部材の前記固定部分が嵌合していることを特徴とする。
【００１０】
請求項３の発明は、請求項１又は請求項２に記載のレンズ鏡筒であって、前記弾性部材は、前記固定部分を介して前記ビスにより前記第２円筒部材に固定されることを特徴とする。
【００１１】
請求項４の発明は、請求項１乃至請求項３において、第２円筒部材は、駆動力を伝達するギアを有し、第２円筒部材の回転により、レンズを駆動することを特徴とする。
【００１２】
【発明の実施の形態】
以下、本発明の実施の形態を図面に基づいて説明する。
【００１３】
図１〜図３は、本発明によるレンズ鏡筒の一実施形態を示す断面図および斜視図である。
【００１４】
図１において、合焦レンズ群３はヘリコイドを有するレンズ鏡筒４に支持されている。レンズ鏡筒５は、レンズ鏡筒４と噛み合うヘリコイドを有している。レンズ鏡筒４は距離環を兼ねており、レンズ鏡筒４を回転させると合焦レンズ群３が前方（図１の左側）へ繰り出して合焦することができる。
【００１５】
本レンズは、バヨネットマウント６を介して不図示のカメラボディ側のマウントに装着できる。バヨネットマウント６は、固定鏡筒２に取り付けられている。ズーム環７は、固定鏡筒２に支持されている。ズーム環７を回転することにより、カム鏡筒８が回転する。カム鏡筒８の内周側に設けられたカム溝８ａと、直進運動をガイドする役割をキー１２が果たす。キー１２は、レンズ群９を支持するレンズ鏡筒外周側に設けられた溝９ａを通っている。カム溝８ａと溝９ａとの関係から、レンズ群９は前後（図１の左右方向）に動く。また、レンズ鏡筒５の内周側に設けられた凸カム５ｂに従い、固定鏡筒２に設けられた直進ガイド部２ａと組み合わせて、レンズ鏡筒４、レンズ鏡筒５、及びレンズ群３は、前後（図１の左右方向）に移動する。
【００１６】
ボディからの回転駆動を伝えるカップリングギア１０は、アイドリングギア１１と噛合し、アイドリングギア１１はカップリングギア１０からの駆動力をセグメントギア１３に伝える。セグメントギア１３が回転することにより、セグメントギア１３に設けられた直進キー部１３ａも回転し、レンズ鏡筒４に設けられたガイド部４ａを通じてレンズ鏡筒４も回転する。これによりボディ側からの制御でレンズ群３を合焦させるように駆動できる。
【００１７】
図２は、制限ゴム１６、下板１４、およびセグメントギア１３の一部と固定鏡筒２の一部を拡大した斜視図である。セグメントギア１３には、図３に示すように、制限ゴム１６が下板１４を介してビス１７により取り付けられている。制限ゴム１６はコ字状部材であり、中央に凹部１６ｃを有する（図２参照）。凹部１６ｃと下板１４とは嵌合した状態でビス１７の頭部とセグメントギア１３との間に挟まれた状態で、セグメントギア１３に取り付け固定される。
【００１８】
固定鏡筒２には、制限ゴム１６の側面１６ａおよび１６ｂがフォーカス制限として当接する側面２ｂおよび２ｃが設けられている。これにより、制限ゴム１６が一つで済み、またスペースファクターが向上する。
【００１９】
下板１４を固定するビス１７と、制限ゴム１６が当接する側面２ｂおよび２ｃとは略同一円周上に配置されているため、セグメントギア１３が回転し制限ゴム１６と側面２ｂあるいは２ｃと当接する際に下板１４を介して振動が伝わり距離エンコーダブラシ１５が振れる心配はなく信頼性が向上している。
【００２０】
下板１４を長くして、制限ゴム１６が取り付いているのとは反対側に、距離エンコーダブラシ１５が、カシメ付けなどにより取り付けられている。エンコーダブラシ１５の先端部の下側には固定鏡筒２の一部である周面２ｄが位置する（図２参照）。周面２ｄには不図示のエンコーダパターンが、フレキシブルプリント基板などで形成される。これにより、セグメントギア１３に制限ゴムとは別角度に取り付けなければならなかった配置問題が解消される。
【００２１】
以上、本発明はボディ側より駆動されるレンズ鏡筒を例としたが、本発明は特にこれに限定されず、例えば、レンズ内モータ駆動型のレンズ鏡筒にも適用が可能である。このように、下板１４を共用することにより部品点数を滅らし、省スペース化を計ることができる。
【００２２】
また、本例では２群構成のレンズ鏡筒を用いるが、本発明はこれに限定されるものではない。
【００２３】
また、ブラシ１５の代りに、光学的、磁気的、電気的な検出手段を用いることもできる。
【００２４】
また、制限ゴム１６の形状は、矩形であっても円形であっても良い。
【００２５】
【発明の効果】
以上のように、本発明のレンズ鏡筒は、板部材の固定部分を固定するビスと、第１回転制限部及び第２回転制限部とが略同一円周上に配置され、板部材の固定部分に備えられた弾性部材が第１回転制限部又は第２回転制限部と当接する構成を有するので、検出部の信頼性の低下を抑え、且つ収納性を向上させて小型化を図ることが可能となる。
【図面の簡単な説明】
【図１】本発明によるレンズ鏡筒の一実施形態を示す断面図である。
【図２】本発明によるレンズ鏡筒の一実施形態を示す斜視図である。
【図３】本発明によるレンズ鏡筒の一実施形態を示す断面図である。
【符号の説明】
２    固定鏡筒
２ａ  直進ガイド部
２ｂ  側面
２ｄ  周面
３    合焦レンズ群
４    レンズ鏡筒
４ａ  ガイド部
５    レンズ鏡筒
５ｂ  凸カム
６    バヨネットマウント
７    ズーム環
８    カム鏡筒
８ａ  カム溝
９    レンズ群
９ａ  溝
１０    カップリングギア
１１    アイドリングギア
１２    キー
１３    セグメントギア
１３ａ  直進キー部
１４    下板
１５    エンコーダブラシ
１５    距離エンコーダブラシ
１６    制限ゴム
１６ａ  側面
１６ｃ  凹部
１７    ビス
【図１】
0004605417.tif 000002
【図２】
0004605417.tif 000003
【図３】
0004605417.tif 000004